(57)【要約】  本開示の態様は、Ｂｌｕｅｔｏｏｔｈ（登録商標）（ＢＴ）／ワイヤレスローカルエリアネットワーク（ＷＬＡＮ）のコロケートがなされたワイヤレス通信デバイスにおける、ＢＴとＷＬＡＮとの共存を改善し得る装置および方法に関する。様々な技法およびシグナリング方式を利用することによって、高優先度のＢＴトラフィックに基づいた動的なＷＬＡＮのフラグメンテーションなど、様々な共存方式が提供されている。本開示のいくつかの態様では、ＢＴ／ＷＬＡＮの共存性能をさらに改善するために、狭帯域の能動的干渉消去が、動的なＷＬＡＮのフラグメンテーションと組み合わされ得る。【選択図】  図４
2017502536.tif 000002
【特許請求の範囲】
【請求項１】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを受信するために前記第１のワイヤレストランシーバを利用するように構成された第１の構成要素と、
前記第１のデータの媒体アクセスタイミングに基づいて、第２のデータの１つまたは複数のデータフレームを複数のフラグメント化されたフレームに動的にフラグメント化するように構成された第２の構成要素と、
前記第１のデータと前記第２のデータとの間の衝突を回避しながら、前記フラグメント化された第２のデータを送信するために前記第２のワイヤレストランシーバを利用するように構成された第３の構成要素とを備える装置。
【請求項２】
前記第１のデータは前記第２のデータよりも高い優先度を有する、請求項１に記載の装置。
【請求項３】
前記第１のプロトコルはピコネットプロトコルを備え、前記第２のプロトコルはワイヤレスローカルエリアネットワークプロトコルを備える、請求項１に記載の装置。
【請求項４】
前記少なくとも１つのプロセッサは、前記第１のデータを受信している間、媒体アクセス制御レイヤプロトコルデータユニットを送信することを回避するために、前記第２のトランシーバを制御するように構成された第４の構成要素をさらに備える、請求項１に記載の装置。
【請求項５】
前記少なくとも１つのプロセッサは、前記第２のデータを送信するためのチャネル条件に基づいて、前記フラグメント化されたフレームのＰＨＹレイヤコンバージェンスプロシージャ（ＰＬＣＰ）プロトコルデータユニットのサイズを動的に変更するように構成された第４の構成要素をさらに備える、請求項１に記載の装置。
【請求項６】
前記少なくとも１つのプロセッサは、前記第２のデータを送信するためのチャネル条件に基づいて、前記フラグメント化されたフレームのデータレートまたは変調を動的に変化させるように構成された第４の構成要素をさらに備える、請求項１に記載の装置。
【請求項７】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを送信するために前記第１のワイヤレストランシーバを利用するように構成された第１の構成要素と、
前記第１のデータの媒体アクセスタイミングに基づいて、第２のデータの１つまたは複数のデータフレームを複数のフラグメント化されたフレームに動的にフラグメント化するために、フラグメンテーション要求をアクセスポイントに送るのに前記第２のワイヤレストランシーバを利用するように構成された第２の構成要素と、
前記第１のデータと前記第２のデータとの間の衝突を回避しながら、前記フラグメント化された第２のデータを受信するために前記第２のワイヤレストランシーバを利用するように構成された第３の構成要素とを備える装置。
【請求項８】
前記第１のデータは前記第２のデータよりも高い優先度を有する、請求項７に記載の装置。
【請求項９】
前記第１のプロトコルはピコネットプロトコルを備え、前記第２のプロトコルはワイヤレスローカルエリアネットワークプロトコルを備える、請求項８に記載の装置。
【請求項１０】
前記フラグメンテーション要求は、フラグメンテーションしきい値を調整するために前記アクセスポイントをトリガするように構成される、請求項７に記載の装置。
【請求項１１】
前記フラグメンテーション要求は、前記第１のデータの前記送信の間に、前記フラグメント化された第２のデータの送信を回避することを前記アクセスポイントに要求するように構成される、請求項７に記載の装置。
【請求項１２】
前記フラグメンテーション要求を送るために、前記第２の構成要素は、送信要求（ＲＴＳ）フレームが前記アクセスポイントから受信されたことに応答して、前記フラグメンテーション要求を含んだ送信可（ＣＴＳ）フレームを送るように構成された第４の構成要素を備える、請求項７に記載の装置。
【請求項１３】
前記少なくとも１つのプロセッサは、前記第２のデータの前記フラグメンテーションに基づいて、前記第１のデータの前記送信を調整するように構成された第４の構成要素をさらに備える、請求項７に記載の装置。
【請求項１４】
前記フラグメンテーション要求は、前記第１のデータの前記送信の間に、媒体アクセス制御レイヤプロトコルデータユニット（ＭＰＤＵ）の送信を回避することを前記アクセスポイントに要求するように構成される、請求項７に記載の装置。
【請求項１５】
前記少なくとも１つのプロセッサは、
前記受信された第２のデータの信号対干渉比を測定し、
前記受信された第２のデータの前記測定された信号対干渉比に基づいて、前記第１のデータの前記送信を調整するように構成された第４の構成要素をさらに備える、請求項７に記載の装置。
【請求項１６】
前記第４の構成要素は、
前記第１のデータの送信電力を低減すること、または、
前記第１のデータによって前記第２のデータに課せられる干渉を緩和するために能動的干渉消去を実施することの少なくとも一方を行うようにさらに構成される、請求項１５に記載の装置。
【請求項１７】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを送信するために前記第１のワイヤレストランシーバを利用するように構成された第１の構成要素と、
前記第１のデータの媒体アクセスタイミングをアクセスポイントに伝えるために前記第２のワイヤレストランシーバを利用するように構成された第２の構成要素と、
前記第２のワイヤレストランシーバをスリープモードに設定するように構成された第３の構成要素と、
前記第１のワイヤレストランシーバが前記媒体アクセスタイミングに基づいてデータを送信していないとき、第２のデータを前記アクセスポイントから受信するために前記第２のワイヤレストランシーバをウェイクアップさせるように構成された第４の構成要素と、ここにおいて、前記第２のワイヤレストランシーバが前記スリープモードにあったとき、前記受信された第２のデータは前記アクセスポイントでキュされたものである、を備える装置。
【請求項１８】
前記第１のプロトコルはピコネットプロトコルを備え、前記第２のプロトコルはワイヤレスローカルエリアネットワークプロトコルを備える、請求項１７に記載の装置。
【請求項１９】
前記少なくとも１つのプロセッサは、トラフィック指示マップ（ＴＩＭ）を前記アクセスポイントから受信するように構成された第５の構成要素をさらに備え、ここにおいて、前記ＴＩＭは、前記第２のデータの少なくとも１つのパケットが前記アクセスポイントでキューされることを示す、請求項１７に記載の装置。
【請求項２０】
前記少なくとも１つのプロセッサは、前記第２のワイヤレストランシーバを利用して、前記ＴＩＭを受信したことに応答して省電力ポールを前記アクセスポイントに送信するように構成された第６の構成要素をさらに備える、請求項１９に記載の装置。
【請求項２１】
前記少なくとも１つのプロセッサは、配信トラフィック指示メッセージ（ＤＴＩＭ）を前記アクセスポイントから受信するように構成された第５の構成要素をさらに備え、ここにおいて、前記ＤＴＩＭは、前記第２のデータがブロードキャストデータであることを示す、請求項１７に記載の装置。
【請求項２２】
前記少なくとも１つのプロセッサは、
前記受信された第２のデータの信号対干渉比を測定し、
前記受信された第２のデータの前記測定された信号対干渉比に基づいて、前記第１のデータの前記送信を調整するように構成された第５の構成要素をさらに備える、請求項１７に記載の装置。
【請求項２３】
前記第５の構成要素は、
前記第１のデータの送信電力を低減すること、または、
前記第１のデータによって前記第２のデータに課せられる干渉を緩和するために能動的干渉消去を実施することの少なくとも一方を行うようにさらに構成される、請求項２２に記載の装置。
【発明の詳細な説明】
【技術分野】
【０００１】
関連出願の相互参照
[0001]本出願は、その内容全体が参照により本明細書に組み込まれる、２０１４年１０月２３日に米国特許商標庁に出願された米国非仮特許出願第１４／０６１，３２０号の優先権および利益を主張する。
【０００２】
[0002]本開示の態様は、一般にワイヤレス通信システムに関し、より詳細には、Ｂｌｕｅｔｏｏｔｈ（登録商標）とワイヤレスローカルエリアネットワークとの共存のための装置および方法に関する。
【背景技術】
【０００３】
[0003]２．４ＧＨｚの産業科学医療用（ＩＳＭ）の帯域におけるＢｌｕｅｔｏｏｔｈ（ＢＴ）とワイヤレスローカルエリアネットワーク（ＷＬＡＮ）は、同じ無認可周波数の媒体を共有している。これら２つの技術は異なる標準化団体下で開発されているため、干渉を回避するためのＢＴ／ＷＬＡＮの協調が重要となっており、以後、周波数、電力、および時間を含む多数の領域において試行されてきた。周波数領域の技法には、適応型周波数ホッピング（ＡＦＨ）が含まれ、電力領域の技法には、電力のバックオフまたはデブースティングが含まれる。時間領域の技法には、ある形態のフレーム整合が含まれる。これらの技法は２つのワイヤレス技法の間の緊密な協調を必要とするので、これらの技術を実際に実装することは困難である。さらに、能動的干渉消去（ＡＩＣ）が研究されてきたが、従来のＡＩＣ実装は、広帯域結合チャネルの群遅延および周波数選択性が原因で、広帯域干渉の場合に様々な制限を有している。
【０００４】
[0004]多くの通信デバイス、特にハンドヘルドデバイスがＢＴとＷＬＡＮの両方を装備しているため、これら２つの技術の間の協調はより重要となっている。したがって、同時送受信を可能にするための共存解決策が望ましい。たとえば、デバイスがＷＬＡＮ上で受信している間にＢＴ上で送信しているとき、受信されたＷＬＡＮ信号は、ＢＴ送信機が極めて近接することによって生じる高度な自己干渉が原因で、感知され得ない。デバイスがＢＴ上で受信している間にＷＬＡＮ上で送信している場合、同様の干渉問題が発生し得る。多くのＢＴトラフィックは遅延敏感であり（たとえば電話呼またはオーディオストリーミング）、ＷＬＡＮはボイストラフィックに使用されているので（たとえばＶＯＩＰ）、ＷＬＡＮ信号とＢＴ信号との間の干渉協調がより重要となっている。したがって、信号の優先度を考慮した、ＢＴとＷＬＡＮとの共存のための新規な協調技法が大いに望まれている。
【発明の概要】
【０００５】
[0005]以下で、本開示の１つまたは複数の態様の基本的理解を与えるために、そのような態様の簡略化された概要を提示する。この概要は、本開示のすべての考えられる特徴の包括的な概観ではなく、本開示のすべての態様の主要または重要な要素を特定するものでも、本開示のいずれかまたはすべての態様の範囲を定めるものでもない。その唯一の目的は、後に提示されるより詳細な説明の前置きとして、本開示の１つまたは複数の態様のいくつかの概念を簡略化された形で提示することである。
【０００６】
[0006]本開示の態様は、Ｂｌｕｅｔｏｏｔｈ（ＢＴ）／ワイヤレスローカルエリアネットワーク（ＷＬＡＮ）のコロケート（co-located）がなされたワイヤレス通信デバイスにおける、ＢＴとＷＬＡＮとの共存を改善し得る装置および方法に関する。様々な技法およびシグナリング方式を利用することによって、高優先度のＢＴトラフィックに基づいた動的なＷＬＡＮフラグメンテーションなど、様々な共存方式が提供されている。本開示のいくつかの態様では、ＢＴ／ＷＬＡＮの共存性能をさらに改善するために、狭帯域の能動的干渉消去が、動的なＷＬＡＮフラグメンテーションと組み合わされ得る。しかしながら、本開示は、ＢＴとＷＬＡＮに限定されるものではなく、他のワイヤレス通信規格にも適用され得る。
【０００７】
[0007]一態様では、本開示は、通信デバイスで動作可能なワイヤレス通信の方法を提供する。この通信デバイスは、第１のデータと第２のデータとの間の衝突を回避しながら、第１の通信プロトコルに対応する第１のワイヤレストランシーバを利用して第１のデータを受信し、第１のデータの媒体アクセスタイミングに基づいて、第２のデータの１つまたは複数のデータフレームを複数のフラグメント化されたフレームに動的にフラグメント化し、第２の通信プロトコルに対応する第２のワイヤレストランシーバを利用して、フラグメント化された第２のデータを送信する。
【０００８】
[0008]本開示の様々な態様では、第１のデータは、第２のデータよりも高い優先度を有し得る。第１の通信プロトコルはピコネットプロトコルを含み得、第２の通信プロトコルはワイヤレスローカルエリアネットワークプロトコルを含み得る。この方法は、第１のデータを受信する間、第２のトランシーバを利用して媒体アクセス制御レイヤプロトコルデータユニットの送信を回避することをさらに含み得る。この方法は、第２のデータを送信するためのチャネル条件に基づいて、フラグメント化されたフレームのＰＨＹレイヤコンバージェンスプロシージャ（ＰＬＣＰ）プロトコルデータユニットのサイズを動的に変更することをさらに含み得る。この方法は、第２のデータを送信するためのチャネル条件に基づいて、フラグメント化されたフレームのデータレートまたは変調を動的に変化させることをさらに含み得る。
【０００９】
[0009]本開示の別の態様は、通信デバイスで動作可能なワイヤレス通信の方法を提供する。この通信デバイスは、第１のデータと第２のデータとの間の衝突を回避しながら、第１の通信プロトコルに対応する第１のワイヤレストランシーバを利用して第１のデータを送信し、第１のデータの媒体アクセスタイミングに基づいて、第２のデータの１つまたは複数のデータフレームを複数のフラグメント化されたフレームに動的にフラグメント化するために、フラグメンテーション要求をアクセスポイントに送信し、第２の通信プロトコルに対応する第２のトランシーバを利用して、フラグメント化された第２のデータを受信する。
【００１０】
[0010]本開示の様々な態様では、第１のデータは、第２のデータよりも高い優先度を有し得る。第１の通信プロトコルはピコネットプロトコルを含み得、第２の通信プロトコルはワイヤレスローカルエリアネットワークプロトコルを含み得る。フラグメンテーション要求は、フラグメンテーションしきい値を調整するためにアクセスポイントをトリガするように構成され得る。フラグメンテーション要求は、第１のデータの送信の間、フラグメント化された第２のデータの送信を回避することをアクセスポイントに要求するように構成され得る。フラグメンテーション要求を送ることは、送信要求（ＲＴＳ）フレームがアクセスポイントから受信されたことに応答して、フラグメンテーション要求を含んだ送信可（ＣＴＳ）フレームを送ることを含み得る。この方法は、第２のデータのフラグメンテーションに基づいて、第１のデータの送信を調整することをさらに含み得る。フラグメンテーション要求は、第１のデータの送信の間に、媒体アクセス制御レイヤプロトコルデータユニット（ＭＰＤＵ）の送信を回避することをアクセスポイントに要求するように構成され得る。この方法は、受信された第２のデータの測定された信号対干渉比に基づいて、第１のデータの送信を調整することをさらに含み得る。第１のデータの送信を調整することは、第１のデータの送信電力を低減すること、または第１のデータによって第２のデータに課せられる干渉を緩和するために能動的干渉消去を実施することの少なくとも一方を含み得る。
【００１１】
[0011]本開示の別の態様は、通信デバイスで動作可能なワイヤレス通信の方法を提供する。この通信デバイスは、第１の通信プロトコルに対応する第１のワイヤレストランシーバを利用して第１のデータを送信し、第２の通信プロトコルに対応する第２のワイヤレストランシーバを利用することによって第１のデータの媒体アクセスタイミングをアクセスポイントに伝え、第２のワイヤレストランシーバをスリープモードに設定し、第１のワイヤレストランシーバが媒体アクセスタイミングに基づいてデータを送信していないときに第２のデータをアクセスポイントから受信するために第２のワイヤレストランシーバをウェイクアップさせる。第２のワイヤレストランシーバがスリープモードにあったとき、受信された第２のデータは、アクセスポイントでキューされた（queued）ものである。
【００１２】
[0012]本開示の様々な態様では、第１の通信プロトコルはピコネットプロトコルを含み得、第２の通信プロトコルはワイヤレスローカルエリアネットワークプロトコルを含み得る。この方法は、トラフィック指示マップ（ＴＩＭ）をアクセスポイントから受信することをさらに含み得、ここにおいて、そのＴＩＭは、第２のデータの少なくとも１つのパケットがアクセスポイントでキューされることを示す。この方法は、第２のワイヤレストランシーバを利用して、ＴＩＭを受信したことに応答して省電力ポールをアクセスポイントに送信することをさらに含み得る。この方法は、配信トラフィック指示メッセージ（ＤＴＩＭ：delivery traffic indication message）をアクセスポイントから受信することをさらに含み得、ここにおいて、そのＤＴＩＭは、第２のデータがブロードキャストデータであることを示す。この方法は、受信された第２のデータの測定された信号対干渉比に基づいて、第１のデータの送信を調整することをさらに含み得る。第１のデータの送信を調整することは、第１のデータの送信電力を低減すること、または第１のデータによって第２のデータに課せられる干渉を緩和するために能動的干渉消去を実施することの少なくとも一方を含み得る。
【００１３】
[0013]本開示の別の態様は、ワイヤレスアクセスポイントで動作可能なワイヤレス通信の方法を提供する。ワイヤレスアクセスポイントは、第２のワイヤレス媒体を利用して通信デバイスによって送信された第１のフラグメント化されたデータと第２のデータとの間の衝突を回避しながら、第１のワイヤレス媒体を利用することによって第１のデータを通信デバイスに送信し、第１のデータの１つまたは複数のデータフレームを複数のフラグメント化されたフレームに動的にフラグメント化するためにフラグメンテーション要求を通信デバイスから受信し、フラグメンテーション要求によって示された所定の期間に、フラグメント化された第１のデータを送信する。
【００１４】
[0014]本開示の様々な態様では、この方法は、フラグメンテーション要求に基づいてフラグメンテーションしきい値を調整することをさらに含み得る。この方法は、フラグメンテーション要求に応答して、第１のデータの送信電力を調整することをさらに含み得る。この方法は、フラグメント化されたデータの変調を変化させることをさらに含み得る。この方法は、フラグメンテーション要求によって示された所定の期間、媒体アクセス制御レイヤプロトコルデータユニットの送信を回避することをさらに含み得る。フラグメンテーション要求を受信することは、以前に送られた送信要求（ＲＴＳ）フレームに応答して、フラグメンテーション要求を含んだ送信可（ＣＴＳ）フレームを受信することを含み得る。この方法は、所定の期間に、第１のデータの利用率を示す配信トラフィック指示メッセージ（ＤＴＩＭ）を送信することをさらに含み得る。この方法は、アクセスポイントでキューされた第１のデータの利用率を示すトラフィック指示マップ（ＴＩＭ）を送信することと、省電力ポール（ＰＳ−ｐｏｌｌ）を通信デバイスから受信することと、ＰＳ−ｐｏｌｌに応答して、所定の期間に、フラグメント化された第１のデータを通信デバイスに送信することとをさらに含み得る。
【００１５】
[0015]本開示の別の態様は、ワイヤレス通信のための装置を提供する。この装置は、少なくとも１つのプロセッサと、第１の通信プロトコルに対応する、少なくとも１つのプロセッサに結合された第１のワイヤレストランシーバと、第２の通信プロトコルに対応する、少なくとも１つのプロセッサに結合された第２のワイヤレストランシーバと、少なくとも１つのプロセッサに結合されたメモリとを含む。少なくとも１つのプロセッサの第１の構成要素は、第１のデータを受信するために第１のワイヤレストランシーバを利用するように構成される。少なくとも１つのプロセッサの第２の構成要素は、第１のデータの媒体アクセスタイミングに基づいて、第２のデータの１つまたは複数のデータフレームを複数のフラグメント化されたフレームに動的にフラグメント化するように構成される。少なくとも１つのプロセッサの第３の構成要素は、第１のデータと第２のデータとの間の衝突を回避しながら、フラグメント化された第２のデータを送信するために第２のワイヤレストランシーバを利用するように構成される。
【００１６】
[0016]本開示の様々な態様では、第１のデータは、第２のデータよりも高い優先度を有し得る。第１のプロトコルはピコネットプロトコルを含み得、第２のプロトコルはワイヤレスローカルエリアネットワークプロトコルを含み得る。少なくとも１つのプロセッサは、第１のデータを受信している間、媒体アクセス制御レイヤプロトコルデータユニットを送信することを回避するために、第２のトランシーバを制御するように構成された第４の構成要素をさらに含み得る。少なくとも１つのプロセッサは、第２のデータを送信するためのチャネル条件に基づいて、フラグメント化されたフレームのＰＨＹレイヤコンバージェンスプロシージャ（ＰＬＣＰ）プロトコルデータユニットのサイズを動的に変更するように構成された第４の構成要素をさらに含み得る。少なくとも１つのプロセッサは、第２のデータを送信するためのチャネル条件に基づいて、フラグメント化されたフレームのデータレートまたは変調を動的に変化させるように構成された第４の構成要素をさらに含み得る。
【００１７】
[0017]本開示の別の態様は、ワイヤレス通信のための装置を提供する。この装置は、少なくとも１つのプロセッサと、第１の通信プロトコルに対応する、少なくとも１つのプロセッサに結合された第１のワイヤレストランシーバと、第２の通信プロトコルに対応する、少なくとも１つのプロセッサに結合された第２のワイヤレストランシーバと、少なくとも１つのプロセッサに結合されたメモリとを含む。少なくとも１つのプロセッサの第１の構成要素は、第１のデータを送信するために第１のワイヤレストランシーバを利用するように構成される。少なくとも１つのプロセッサの第２の構成要素は、第１のデータの媒体アクセスタイミングに基づいて、第２のデータの１つまたは複数のデータフレームを複数のフラグメント化されたフレームに動的にフラグメント化するために、フラグメンテーション要求をアクセスポイントに送るのに第２のワイヤレストランシーバを利用するように構成される。少なくとも１つのプロセッサの第３の構成要素は、第１のデータと第２のデータとの間の衝突を回避しながら、フラグメント化された第２のデータを受信するために第２のワイヤレストランシーバを利用するように構成される。
【００１８】
[0018]本開示の様々な態様では、第１のデータは、第２のデータよりも高い優先度を有し得る。第１のプロトコルはピコネットプロトコルを含み得、第２のプロトコルはワイヤレスローカルエリアネットワークプロトコルを含み得る。フラグメンテーション要求は、フラグメンテーションしきい値を調整するためにアクセスポイントをトリガするように構成され得る。フラグメンテーション要求は、第１のデータの送信の間、フラグメント化された第２のデータの送信を回避することをアクセスポイントに要求するように構成され得る。フラグメンテーション要求を送るために、第２の構成要素は、送信要求（ＲＴＳ）フレームがアクセスポイントから受信されたことに応答して、フラグメンテーション要求を含んだ送信可（ＣＴＳ）フレームを送るように構成された第４の構成要素を含み得る。少なくとも１つのプロセッサは、第２のデータのフラグメンテーションに基づいて、第１のデータの送信を調整するように構成された第４の構成要素をさらに含み得る。フラグメンテーション要求は、第１のデータの送信の間に、媒体アクセス制御レイヤプロトコルデータユニット（ＭＰＤＵ）の送信を回避することをアクセスポイントに要求するように構成され得る。少なくとも１つのプロセッサは、受信された第２のデータの信号対干渉比を測定し、受信された第２のデータの測定された信号対干渉比に基づいて第１のデータの送信を調整するように構成された第４の構成要素をさらに含み得る。第４の構成要素は、第１のデータの送信電力を低減すること、または第１のデータによって第２のデータに課せられる干渉を緩和するために能動的干渉消去を実施することの少なくとも一方を行うようにさらに構成され得る。本開示の別の態様は、ワイヤレス通信のための装置を提供する。この装置は、少なくとも１つのプロセッサと、第１の通信プロトコルに対応する、少なくとも１つのプロセッサに結合された第１のワイヤレストランシーバと、第２の通信プロトコルに対応する、少なくとも１つのプロセッサに結合された第２のワイヤレストランシーバと、少なくとも１つのプロセッサに結合されたメモリとを含む。少なくとも１つのプロセッサの第１の構成要素は、第１のデータを送信するために第１のワイヤレストランシーバを利用するように構成される。少なくとも１つのプロセッサの第２の構成要素は、第１のデータの媒体アクセスタイミングをアクセスポイントに伝えるために第２のワイヤレストランシーバを利用するように構成される。少なくとも１つのプロセッサの第３の構成要素は、第２のワイヤレストランシーバをスリープモードに設定するように構成される。少なくとも１つのプロセッサの第４の構成要素は、第１のワイヤレストランシーバが媒体アクセスタイミングに基づいてデータを送信していないとき、第２のデータをアクセスポイントから受信するために第２のワイヤレストランシーバをウェイクアップさせるように構成され、ここにおいて、第２のワイヤレストランシーバがスリープモードにあったとき、受信された第２のデータはアクセスポイントでキューイングされたものである。
【００１９】
[0019]本開示の様々な態様では、第１のプロトコルはピコネットプロトコルを含み得、第２のプロトコルはワイヤレスローカルエリアネットワークプロトコルを含み得る。少なくとも１つのプロセッサは、トラフィック指示マップ（ＴＩＭ）をアクセスポイントから受信するように構成された第５の構成要素をさらに含み得、ここにおいて、ＴＩＭは、第２のデータの少なくとも１つのパケットがアクセスポイントでキューされることを示す。少なくとも１つのプロセッサは、第２のワイヤレストランシーバを利用して、ＴＩＭを受信したことに応答して省電力ポールをアクセスポイントへ送信するように構成された第６の構成要素をさらに含み得る。少なくとも１つのプロセッサは、配信トラフィック指示メッセージ（ＤＴＩＭ）をアクセスポイントから受信するように構成された第５の構成要素をさらに含み得、ここにおいて、ＤＴＩＭは、第２のデータがブロードキャストデータであることを示す。少なくとも１つのプロセッサは、受信された第２のデータの信号対干渉比を測定し、受信された第２のデータの測定された信号対干渉比に基づいて第１のデータの送信を調整するように構成された第５の構成要素をさらに含み得る。第５の構成要素は、第１のデータの送信電力を低減すること、または第１のデータによって第２のデータに課せられる干渉を緩和するために能動的干渉消去を実施することの少なくとも一方を行うようにさらに構成され得る。
【００２０】
[0020]本開示の別の態様は、ワイヤレスアクセスポイントを提供する。そのワイヤレスアクセスポイントは、少なくとも１つのプロセッサと、第１の通信プロトコルに対応する、少なくとも１つのプロセッサに結合されたワイヤレストランシーバと、少なくとも１つのプロセッサに結合されたメモリとを含む。少なくとも１つのプロセッサの第１の構成要素は、第１のワイヤレス媒体を利用して、第１のデータを送信するためにワイヤレストランシーバを利用するように構成される。少なくとも１つのプロセッサの第２の構成要素は、第１のデータの１つまたは複数のデータフレームを複数のフラグメント化されたフレームに動的にフラグメント化するために、フラグメンテーション要求を通信デバイスから受信するように構成される。少なくとも１つのプロセッサの第３の構成要素は、第２のワイヤレス媒体を利用して通信デバイスによって送信された第１のフラグメント化されたデータと第２のデータとの間の衝突を回避しながら、フラグメンテーション要求によって示された所定の期間に、フラグメント化された第１のデータを送信するように構成される。
【００２１】
[0021]本開示の様々な態様では、このアクセスポイントは、フラグメンテーション要求に基づいてフラグメンテーションしきい値を調整するように構成された第４の構成要素をさらに含み得る。このアクセスポイントは、フラグメンテーション要求に応答して、第１のデータの送信電力を増強するように構成された第４の構成要素をさらに含み得る。このアクセスポイントは、フラグメント化されたデータの変調を変化させるように構成された第４の構成要素をさらに含み得る。このアクセスポイントは、フラグメンテーション要求によって示された所定の期間に媒体アクセス制御レイヤプロトコルデータユニットを送信することを回避するように構成された第４の構成要素をさらに含み得る。第２の構成要素は、以前に送られた送信要求（ＲＴＳ）フレームに応答して、フラグメンテーション要求を含んだ送信可（ＣＴＳ）フレームを受信するようにさらに構成され得る。このアクセスポイントは、所定の期間に、第１のデータの利用率を示す配信トラフィック指示メッセージ（ＤＴＩＭ）を送信するように構成された第４の構成要素をさらに含み得る。第３の構成要素は、アクセスポイントでキューされた第１のデータの利用率を示すトラフィック指示マップ（ＴＩＭ）を送信することと、省電力ポール（ＰＳ−ｐｏｌｌ）を通信デバイスから受信することと、ＰＳ−ｐｏｌｌに応答して、所定の期間に、フラグメント化された第１のデータを通信デバイスに送信することとを行うように構成され得る。
【００２２】
[0022]本発明のこれらの態様および他の態様は、以下の発明を実施するための形態を検討すれば、より完全に理解されるであろう。本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明される有利な特徴のうちの１つまたは複数を含み得る。言い換えれば、１つまたは複数の実施形態が、いくつかの有利な特徴を有するものとして説明され得るが、そのような特徴のうちの１つまたは複数は、本明細書で説明される本発明の様々な実施形態に従っても使用され得る。同様に、例示的な実施形態が、以下ではデバイス、システム、または方法の実施形態として論じられ得るが、そのような例示的な実施形態は、様々なデバイス、システム、および方法で実装され得ることを理解されたい。
【図面の簡単な説明】
【００２３】
【図１】[0023]本開示の一態様による、ＢＴとＷＬＡＮの両方で通信することが可能な第１の通信デバイスを含む通信システムを示す概念図。
【図２】[0024]２つのＢｌｕｅｔｏｏｔｈ拡張同期コネクションオリエンテッド（ｅＳＣＯ：extended synchronous connections orientated）フレームを示す概念図。
【図３】[0025]媒体アクセス制御（ＭＡＣ）フレーム構造を示す概念図。
【図４】[0026]本開示の第１の態様による、通信デバイスで動作可能な動的なＷＬＡＮフラグメンテーションプロセスを示すフローチャート。
【図５】[0027]本開示の一態様による、通信デバイスにおける同時的なＷＬＡＮとＢＴとの共存を示す概念図。
【図６】[0028]本開示の態様による、様々な動的なフラグメンテーション技法を示す概念図。
【図７】[0029]本開示の一態様による、通信デバイスで動作可能な動的なＷＬＡＮフラグメンテーションの方法を示すフローチャート。
【図８】[0030]本開示の一態様による、ＲＴＳ／ＣＴＳ（送信要求／送信可）を用いたＷＬＡＮの動的なフラグメンテーションの方法を示すフローチャート。
【図９】[0031]本開示の一態様による、ＲＴＳ／ＣＴＳを用いたＷＬＡＮの動的なフラグメンテーションを示す概念図。
【図１０】[0032]本開示の一態様による、ＴＩＭ／ＰＳ−Ｐｏｌｌ方式を利用したＷＬＡＮの動的なフラグメンテーションの方法を示すフローチャート。
【図１１】[0033]本開示の一態様による、ＴＩＭ／ＰＳ−Ｐｏｌｌを用いたＷＬＡＮの動的なフラグメンテーションを示す概念図。
【図１２】[0034]本開示の一態様による、通信デバイスにおけるＢＴとＷＬＡＮの共存を改善するための狭帯域の能動的干渉消去（ＡＩＣ）を示す概念図。
【図１３】[0035]本開示の一態様による、狭帯域自己干渉を緩和する方法を示すフローチャート。
【図１４】[0036]本開示の一態様による、処理システムを採用する装置のハードウェア実装形態の一例を示す概念図。
【図１５】[0037]本開示の一態様による、ＢＴとＷＬＡＮとの共存動作のための通信デバイスとして構成された、図１４の装置を示す概念ブロック図。
【図１６】[0038]本開示の一態様による、ＷＬＡＮアクセスポイントとして構成された、図１４の装置を示す概念ブロック図。
【図１７】[0039]本開示の一態様による、通信デバイスで動作可能なワイヤレス通信の方法を示すフローチャート。
【図１８】[0040]本開示の一態様による、通信デバイスで動作可能なワイヤレス通信の方法を示すフローチャート。
【図１９】[0041]本開示の一態様による、通信デバイスで動作可能なワイヤレス通信の方法を示すフローチャート。
【図２０】[0042]本開示の一態様による、アクセスポイントで動作可能なワイヤレス通信の方法を示すフローチャート。
【発明を実施するための形態】
【００２４】
[0043]添付の図面に関して以下に記載する詳細な説明は、様々な構成を説明するものであり、本明細書で説明する概念が実施され得る唯一の構成を表すものではない。詳細な説明は、様々な概念の完全な理解をもたらす目的で、具体的な詳細を含んでいる。しかしながら、これらの概念がこれらの具体的な詳細なしに実施され得ることは、当業者には明らかであろう。いくつかの事例では、よく知られている構造および構成要素は、そのような概念を不明瞭にすることを避けるために、ブロック図の形態で示されている。
【００２５】
[0044]本開示の態様は、動的なＷＬＡＮフレームフラグメンテーションおよび能動的な狭帯域干渉消去を使用した、多数のＢｌｕｅｔｏｏｔｈ（ＢＴ）／ワイヤレスローカルエリアネットワーク（ＷＬＡＮ）共存技法を提供する。図１は、本開示の一態様による、ＢＴとＷＬＡＮの両方で通信することが可能な第１の通信デバイス１０２を含む通信システム１００を概念的に示す図である。図１を参照すると、通信デバイス１０２は、基地局（ＢＳ）１０６を通じてワイドエリアネットワーク（ＷＡＮ）１０４上で、またアクセスポイント（ＡＰ）１１０を通じてＷＬＡＮ１０８上で通信するように構成されている。本開示の一態様では、ＷＡＮは、ユニバーサルモバイルテレコミュニケーションシステム（ＵＭＴＳ）ネットワークまたはＣＤＭＡ２０００ネットワークであり得る。本開示の一態様では、ＷＬＡＮ１０８は、ＩＥＥＥ８０２．１１ワイヤレスプロトコルファミリー（ＷｉＦｉ（登録商標））など、広く使用されているネットワーキングプロトコルを採用する。加えて、通信デバイス１０２は、ピコネットプロトコルに基づいたＢＴ接続１１４を介して、第２の通信デバイス１１２と通信するように構成される。しかしながら、本開示は、図１に示す通信デバイスに限定されない。通信デバイス１０２および１１２の非網羅的リストには、スマートフォン、スマートウォッチ、モバイルフォン、パーソナルデジタルアシスタント、ポータブルコンピュータ、タブレットコンピュータ、デスクトップコンピュータ、デジタルプリンタ、ワイヤレススピーカー、マルチメディアプレーヤ、デジタルカメラ、カムコーダ、ネットワークカードなどが含まれる。
【００２６】
[0045]本開示の一態様では、通信デバイス１０２は、ＷＬＡＮとＢＴの両方を使用して他のデバイスと同時に通信するように構成され得る。たとえば、第１の通信デバイス１０２は、それぞれＷＬＡＮ接続とＢＴ接続を使用してＡＰ１１０および第２の通信デバイス１１２と同時に通信し得る。いくつかの用途では、ＢＴトラフィックは、ＷＬＡＮトラフィックよりも高い優先度を有し、遅延敏感となる。たとえば、ＢＴ接続は、ボイス呼用の拡張同期コネクションオリエンテッド（ｅＳＣＯ）リンクであっても、音楽ストリーミング（たとえばＡ２ＤＰ）用の非同期コネクションレス（ＡＣＬ）リンクであってもよい。高優先度のＢＴトラフィックを保護するために、ＷＬＡＮトラフィック１１６は、時間領域におけるＢＴトラフィック１１４とのいかなる重複をも回避または低減するように協調されることを必要とする。ＢＴトランシーバとＷＬＡＮトランシーバとがコロケートされるので、通信デバイス１０２は、ＷＬＡＮ上でデータを送信する間にどのようなデータがＢＴ上で受信されているかに関する知識を有する。同様に、通信デバイス１０２は、ＷＬＡＮ上でデータを受信する間にどのようなデータがＢＴ上で送信されているかに関する知識を有する。
【００２７】
[0046]本開示の態様では、デバイス１０２への／からのＷＬＡＮデータは、たとえばデバイス１０２と１１２との間で、高優先度のＢＴトラフィック（たとえば周期的または非周期的ＢＴトラフィック）を回避するために、動的にフラグメント化され得る。フラグメント化は、ＢＴトラフィックのタイミングまたは周期性に応じて動的に行われ得る。たとえば、図２を参照すると、ｅＳＣＯパケット２０２が所定のタイムスロット数（たとえば、ｅＳＣＯに対してそれぞれ６ＢＴスロット）で送信される。ｅＳＣＯパケット間の規則的な間隔２０４は、ＢＴリンクが確立されているときに指定される。特定のスレーブ（たとえば図１におけるデバイス１１２）への／からのｅＳＣＯパケット２０２は肯定応答され、再送信ウィンドウ２０６の間に肯定応答されない場合は再送信され得る。加えて、オーディオが、ＡＣＬリンク（Ａ２ＤＰプロファイル）を使用してデバイス１０２と１１２との間でストリーミングされ得る。ＡＣＬリンクは、データまたはボイスに対して１つ、３つ、または５つのＢＴスロットを占有し得る。
【００２８】
[0047]本開示の一態様では、フラグメント化を原因とする付加的なオーバーヘッドを考慮して、デバイス１０２は、ＷＬＡＮデータ１１６を送信すると同時にＢＴデータ１１４を受信する。ＷＬＡＮデータは、ＢＴデータ（たとえば高優先度のＢＴトラフィック）を回避するためにフラグメント化され得る。ＷＬＡＮフレームは、大きなメッセージをより小さいフラグメントへ分割することによってフラグメント化をサポートし得る。図３は、媒体アクセス制御（ＭＡＣ）フレーム３００を示す概念図である。ＭＡＣヘッダ３０２では、フレーム制御メッセージ３０４がＭＡＣヘッダの最初に置かれる。フレーム制御フィールドでは、「後続フラグメント（More Fragments）」ビット３０６は、フレーム３００の後続フラグメントが、データであっても管理タイプであっても、追従すべきかどうかを示す。ＭＡＣヘッダのシーケンス制御フィールド３０８では、「フラグメント番号」フィールドが、フラグメント化されたフレームのうちの送信された各フレームの番号を示す。フラグメンテーションは、オーバーヘッドを制御することを犠牲にして（たとえば、ＡＣＫラウンドの増加など）、信頼性を向上させるために、元のＭＡＣサービスデータユニット（ＭＳＤＵ）長よりも短いＭＡＣプロトコルデータユニット（ＭＰＤＵ）を生じる。たとえば、ＩＥＥＥ８０２．１１のＭＡＣでは、ＭＳＤＵは、等しいサイズのフラグメントへフラグメント化され、バーストにおけるすべてのフラグメントが送信されるまで、依然として不変である。レート適応を用いたフラグメンテーションが、測定されたＢＴ媒体条件に基づいて、動的に、そして最適に行われ得る。
【００２９】
[0048]図４は、本開示の一態様による、通信デバイス１０２で動作可能な動的なＷＬＡＮフラグメンテーションプロセス４００を示すフローチャートである。ステップ４０２では、デバイス１０２は、ＷＬＡＮデータ（ＷＬＡＮ  Ｔｘ）をＡＰ１１０へ送信すると同時に、ＢＴデータ（ＢＴ  Ｒｘ）をデバイス１１２から受信している。図５を参照すると、ＷＬＡＮトラフィック５０２とＢＴトラフィック５０４がデバイス１０２にて同時に発生している。ステップ４０４では、ＢＴ  Ｒｘ（たとえばＡＣＬまたはｅＳＣＯ）がＷＬＡＮ  Ｔｘよりも高い優先度を有すると決定された場合、プロセスはステップ４０６へ続き、他の場合、プロセスはステップ４０２に続く。ステップ４０６では、通信デバイス１０２は、ＷＬＡＮ  Ｔｘを多数のフラグメント化されたＷＬＡＮフレーム５０６へとフラグメント化するように、また、それらを高優先度のＢＴフレーム５０８の間で送信してＢＴトラフィックとＷＬＡＮトラフィックとの間の衝突の可能性を低減するように構成される。本開示の一態様では、ＷＬＡＮ  Ｔｘは、デバイス１０２のＢＴサイクル５１０またはＢＴ媒体アクセスタイミングに基づいて、多数のより小さいフラグメントへフラグメント化される。ＢＴ媒体アクセスタイミングは、媒体アクセス制御（ＭＡＣ）とは異なるピコネットにデバイス１０２がアクセスする時間を指す。
【００３０】
[0049]図６は、本開示の態様による、いくつかの動的なフラグメンテーション技法を示す概念図である。たとえば、図６の動的なフラグメンテーション技法の一部または全部が、図４のステップ４０６において実施され得る。プロセス６０２では、通信デバイス１０２は、ＷＬＡＮ  Ｔｘトラフィックが周期的なＢＴ  Ｒｘトラフィックを回避し得るように、ＢＴ  Ｒｘサイクルに基づいてＭＳＤＵを複数の同じサイズのＭＰＤＵ（最後のチャンクを除く）にフラグメント化し得る。プロセス６０４では、デバイス１０２は、ＢＴ  ＲｘのＷＬＡＮ  Ｔｘとの衝突確率を低減するために、ＢＴ  Ｒｘの持続期間にＷＬＡＮ上でＭＰＤＵを送信することを回避し得る。プロセス６０６では、デバイス１０２は、ＷＬＡＮデータ送信の持続時間が変化するように、選択されたレートに従ってＷＬＡＮのＰＬＣＰプロトコルデータユニット（ＰＰＤＵ）のサイズを変化させ得る。チャネル品質のレート適応（電力調整に関連づけられる）もまたＰＰＤＵに対して可能であり、したがって、各ＰＰＤＵは、動的なチャネル状態においてもＢＴ  Ｒｘフレーム間の間隔に収まり得る。図４〜６のプロセスおよびイベントは例示的な順序で示されているが、これらのプロセスおよびイベントは任意の適切な順序で実施され得ることを諒解されたい。加えて、これらのプロセスおよびイベントは、選択的に実施されても、実施されなくてもよい。
【００３１】
[0050]図７は、本開示の一態様による、通信デバイス１０２で動作可能な動的なＷＬＡＮフラグメンテーションの方法７００を示すフローチャートである。ステップ７０２では、デバイス１０２は、ＷＬＡＮデータ（ＷＬＡＮ  Ｒｘ）をＡＰ１１０から受信すると同時に、ＢＴデータ（ＢＴ  Ｔｘ）をデバイス１１２に送信している。ステップ７０４では、ＢＴ  Ｔｘトラフィック（たとえばＡＣＬまたはｅＳＣＯ）がＷＬＡＮ  Ｒｘよりも高い優先度を有すると決定された場合、プロセスはステップ７０６へ続き、他の場合、プロセスはステップ７０２に続く。ステップ７０６では、通信デバイス１０２およびＡＰ１１０は、ＢＴトラフィックとＷＬＡＮトラフィックとの間の衝突の可能性を低減するために、ＢＴの周期的な高優先度のフレーム（たとえばＢＴ５０８）の間に受信される複数のより小さいフレーム（たとえばＷＬＡＮ５０６）へ、ＷＬＡＮデータ（たとえばＷＬＡＮ５０２）をフラグメント化するように構成される。
【００３２】
[0051]本開示の様々な態様では、ＷＬＡＮ  Ｒｘを受信する通信デバイス１０２は、適切な情報をＡＰ１１０と通信するように構成され、そのため、ＡＰ１１０とデバイス１０２は、ＷＬＡＮトラフィックとＢＴトラフィックとの間の衝突を回避するために、ＢＴ媒体アクセスタイミングまたは送信間隔に基づいて、ＷＬＡＮデータをフラグメント化するように協調し得る。この場合、本開示の様々な態様を実施するために、現在のＷＬＡＮプロトコル（たとえばＩＥＥＥ８０２．１１ファミリー）に対する適切な変更が必要となり得る。図８は、本開示の一態様による、ＲＴＳ／ＣＴＳ（送信要求／送信可）を用いたＷＬＡＮ動的フラグメンテーションの方法８００を示すフローチャートである。ステップ８０２では、ＡＰ１１０がＲＴＳフレームを通信デバイス１０２へ送る。たとえば、図９を参照すると、８０２．１１プロトコルでは、データを送ることを望むノード（たとえばＡＰ１１０）が、ＲＴＳフレーム９０２をデバイス１０２などの局（ＳＴＡ）に送ることによってプロセスを開始する。ステップ８０４では、ＳＴＡは、空の媒体要求９０６を含んだＣＴＳフレーム９０４で応答する。ＲＴＳまたはＣＴＳフレームを受信する任意の他のＷＬＡＮノードは、所与の時間にわたってデータを送ることを控えるべきである。たとえば、ＣＴＳフレーム９０４は、次のＢＴ  Ｔｘの前の利用可能なチャネル時間にわたって、ネットワーク割振りベクトル（ＮＡＶ）を含み得る。空の媒体要求９０６は、ＢＴ送信期間９１０またはサイクルに対応する、空のＷＬＡＮ媒体の所望の持続時間９０８を示す。ＡＰ１１０は、空の媒体要求９０６に従って、期間９１０の間にＷＬＡＮデータをＳＴＡに送信することを回避するように構成される。
【００３３】
[0052]ステップ８０６では、ＡＰ１１０は、ＷＬＡＮトラフィックとＢＴトラフィックとの間の衝突を回避するために、ＢＴサイクルに基づいて、フレームフラグメンテーションを適用するための、フラグメンテーションしきい値と呼ばれるパラメータを動的に調整し得る。たとえば、フラグメンテーションしきい値は、２５６バイトから２３４６バイトのＭＳＤＵサイズの値を有し得る。ＢＴトラフィック（たとえば、高優先度のｅＳＣＯ、ＡＣＬ）に応じて、フラグメンテーションしきい値は、ステップ８０８で、ＢＴトラフィック間に間隔９１４（すなわち、空のＢＴ媒体）に収まるようにフラグメント化されたＷＬＡＮ  ＭＰＤＵをＡＰが送信し得るように低下され得る。ステップ８１０では、ＡＰは、ＢＴ  Ｔｘを回避するために、所与の時間にパケットを送信することを終えるように、送信電力を調整（たとえば昇圧）することおよび／またはより高度な変調を使用することができ得る。さらに、ステップ８１２では、ＡＰは、ＢＴ  Ｔｘの期間に送信することを回避し得る（図９の期間９１６参照）。ステップ８１４では、ＡＰは、要求された間隔９１４で、１つまたは複数のフラグメント化されたＷＬＡＮフレーム９１２を送信する。ステップ８１６では、ＳＴＡは、フラグメンテーションのタイミングに基づいて送信タイミングを調整するために、コロケートされたＢＴ  Ｔｘを要求し得る。
【００３４】
[0053]本開示の一態様では、ＳＴＡは、ＢＴ  Ｔｘ信号を保護するために、ＣＴＳ−ｔｏ−ｓｅｌｆフレーム９１８（図９参照）を送り得る。他のＷＬＡＮノード（たとえばＡＰまたはＳＴＡ）は、ＣＴＳ−ｔｏ−ｓｅｌｆフレームで指定された期間９２０内に送られた任意のＢＴ  Ｔｘ信号が保護されるように、この期間９２０にわたって、データを送信することを回避する。この手法は、ＷＬＡＮプロトコルの変更を必要としない。図７〜９のプロセスおよびイベントは例示的な順序で示されているが、これらのプロセスおよびイベントは任意の適切な順序で実施され得ることを諒解されたい。加えて、これらのプロセスおよびイベントは、選択的に実施されても、実施されなくてもよい。
【００３５】
[0054]本開示の別の態様では、ＷＬＡＮフラグメンテーションは、動的なフラグメンテーションを実施するためにＷＬＡＮのトラフィック指示マップ（ＴＩＭ）および省電力ポーリング（ＰＳ−Ｐｏｌｌ）機能を使用して実施され得る。８０２．１１  ＷＬＡＮでは、ＳＴＡ（たとえばデバイス１０２）が、電力管理ビットを設定してヌルフレーム（Null frame）をＡＰ１１０に送ることによって、省電力モードに移行し得る。それ以降、ＡＰは、ＳＴＡに宛てられたすべてのパケットを各ＳＴＡキューに記憶し、また、ＳＴＡへ宛てられたパケットがＡＰでキューされていることを示すためにビーコンフレームのＴＩＭフィールドを設定する。ＴＩＭ情報要素は、ＳＴＡに対して存在するバッファリングされたフレームをＡＰが有する場合、任意のＳＴＡを示すためにＡＰによって送られる。ＳＴＡは、ビーコンフレームを受信するためにリッスン間隔ごとにスリープからウェイクアップし、また、ビーコンフレームのＴＩＭフィールドが設定されていることをＳＴＡが検知したとき、ＰＳ−ＰｏｌｌフレームをＡＰに送る。それに応答して、ＡＰは、第１のキューされたフレームをＳＴＡに送る。ＳＴＡは、キューされたデータフレームを受信し、またこのフレーム内の後続データフィールドが設定されている場合、ＳＴＡは別のＰＳ−ＰｏｌｌフレームをＡＰに送る。ＳＴＡは、すべてのキューされたフレームを受信するために引き続きＰＳ−Ｐｏｌｌフレームを送り、また何も残っていないときには、次のリッスン間隔までスリープに戻る。
【００３６】
[0055]配信トラフィック指示メッセージ（ＤＴＩＭ）は、ＡＰ上におけるバッファリングされたマルチキャスト／ブロードキャストデータの存在についてＳＴＡに知らせる一種のＴＩＭである。ＤＴＩＭは、ＤＴＩＭ間隔によって指定された周波数で周期的ビーコン内で生成される。ＡＰは、ワイヤレスネットワークを同期させるために周期的ビーコンを送る。ＤＴＩＭが送られた後、ＴＩＭが、バッファリングされたユニキャストデータの存在をシグナリングするために使用されるが、ＡＰは、通常のチャネルアクセスルールに従って、ＷＬＡＮ媒体上でマルチキャスト／ブロードキャストデータを送ることになる。
【００３７】
[0056]本開示の一態様では、通信デバイス１０２が、Ｔｘ／ＲｘトラフィックをそれぞれＢＴ／ＷＬＡＮからリスン（listen）するように構成され、次いでそれらのトラフィックを協調させる。図１０は、本開示の一態様による、ＴＩＭ／ＰＳ−Ｐｏｌｌ方式を利用したＷＬＡＮの動的なフラグメンテーションの方法１０００を示すフローチャートである。方法１０００は図７のステップ７０６において実施され得る。ステップ１００２では、通信デバイス１０２（ＳＴＡ）が、ＢＴタイミングまたはサイクル情報（ＢＴ情報）１１０２（図１１参照）をＡＰ１１０と交換する。ＳＴＡは、ＡＰ用のＰＳ−ＰｏｌｌメッセージにＢＴタイミングまたはサイクル情報を含め得る。たとえば、ＢＴ情報は、高優先度のＢＴ  Ｔｘ（たとえば、ｓＳＣＯおよびＡＣＬ）のスロットタイミングおよびサイクル時間を含み得る。ステップ１００４では、ＡＰは、ＢＴ情報１１０２（図１１参照）に基づいて、ＴＩＭ間隔タイミング１１０４およびＤＴＩＭ間隔タイミング１１０６をＢＴ  Ｔｘトラフィック１１０８と整合させるように構成される。図１１に示すように、ＤＴＩＭおよびＴＩＭ送信とＢＴ  Ｔｘトラフィック１１０８は互いに重複しない。
【００３８】
[0057]ステップ１００６では、ＳＴＡは、電力消費量を低減するためにスリープモードに移行し得る。ＳＴＡは、スリープモードの間、ＷＬＡＮに対応する全部または一部の構成要素（たとえばＷＬＡＮトランシーバおよびＲＦフロントエンド）を無効化または電源遮断し得る。ステップ１００８では、ＳＴＡは、ＤＴＩＭ１１１０またはＴＩＭ１１１２を受信するために、ＤＴＩＭ／ＴＩＭ間隔に対応する時間にウェイクアップする。ステップ１０１０では、ＤＴＩＭが受信された場合、ＳＴＡはブロードキャストデータ１１１４をＡＰから受信し得る。ステップ１０１２では、受信されたＴＩＭが、ＡＰでキューされたデータがＳＴＡに宛てられていることを示す場合、ＳＴＡは、キューされたデータ１１１８を取り出すために、ＰＳ−Ｐｏｌｌ１１１６をＡＰに送り得る。図１０および１１に示すように、ＷＬＡＮ  ＰＳ−Ｐｏｌｌ／ＴＩＭ／ＤＴＩＭおよびＢＴ情報を使用して、ＡＰおよびＳＴＡは、ＷＬＡＮ  ＲｘトラフィックとＢＴ  Ｔｘトラフィックとの間の衝突を回避するために、ＷＬＡＮ  ＲｘをＢＴ  Ｔｘと整合させてフラグメント化し得る。図１０〜１１のプロセスおよびイベントは例示的な順序で示されているが、これらのプロセスおよびイベントは任意の適切な順序で実施され得ることを諒解されたい。加えて、これらのプロセスおよびイベントは、選択的に実施されても、実施されなくてもよい。
【００３９】
[0058]図１２は、本開示の一態様による、通信デバイスにおけるＢＴとＷＬＡＮとの共存を改善するための狭帯域の能動的干渉消去（ＡＩＣ）を示す概念図である。能動的干渉消去は、送信された信号を送信機にて取り出すことによって行われ得、次いで利得および位相の調整後に受信機に加え得る。コロケートされた送信機からの干渉は、リモートデバイスから送られた所望の信号よりもはるかに大きいため、干渉を適切に協調させなければ、ＷＬＡＮデータの受信が可能にならないことがある。受信機におけるコロケートされた送信機からの干渉を消去するために、ＡＩＣが有効化され得る。デバイスは、ＢＴトランシーバ１２０２とＷＬＡＮトランシーバ１２０４とを含んだ通信デバイス１０２であり得る。ＷＬＡＮトランシーバ１２０４がデータ（ＷＬＡＮ  Ｒｘ）を受信している間に、ＢＴトランシーバ１２０２がデータ（ＢＴ  Ｔｘ）を送信しているとき、ＢＴ  Ｔｘは狭帯域干渉をＷＬＡＮ  Ｒｘ上に生じさせ得る。この場合、通信デバイスは、狭帯域干渉を緩和するためにＡＩＣ１２０６を適用し得る。
【００４０】
[0059]図１３は、本開示の一態様による、狭帯域自己干渉を緩和する方法１３００を示すフローチャートである。方法１３００は、図１２のＢＴトランシーバ１２０２とＷＬＡＮトランシーバ１２０４とを含んだ通信デバイス１０２で実施され得る。本開示の様々な態様では、方法１３００は、図１〜１１を参照して説明したＷＬＡＮフラグメンテーション技法に加えて、またはそれとは独立に実施され得る。この例では、ＢＴトランシーバ１２０２はデータ（ＢＴ  Ｔｘ）を送信しており、ＷＬＡＮトランシーバ１２０４はデータ（ＷＬＡＮ  Ｒｘ）を受信していると想定される。ステップ１３０２では、デバイス１０２は、ＷＬＡＮ  Ｒｘの信号対干渉プラス雑音比（ＳＩＮＲ）などの信号対干渉比を測定するように構成される。ＳＩＮＲは、ワイヤレス通信において、ワイヤレス接続の品質を測定するための方法として広く使用されている。ＳＩＮＲの値は次のように計算され得る。
ＳＩＮＲ＝Ｐ／（Ｉ＋Ｎ）  ここでＰは信号電力であり、Ｉは干渉電力であり、Ｎは雑音電力である。
【００４１】
[0060]測定されたＳＩＮＲが、所望のターゲットＳＩＮＲを満たさない場合、デバイス１０２は、ステップ１３０６でＢＴ  Ｔｘ電力をバックオフするか、またはステップ１３０８でＡＩＣを適用し得る。ターゲットＳＩＮＲは一般には０ｄＢ未満であり、干渉レベルは、少なくとも所望の信号よりも大きくはない。
【００４２】
[0061]図１４は、処理システム１４１４を採用する装置１４００のハードウェア実装形態の一例を示す概念図である。本開示の様々な態様によれば、要素、または要素の任意の部分、または要素の任意の組合せは、１つまたは複数のプロセッサ１４０４を含む処理システム１４１４を用いて実装され得る。プロセッサ１４０４の例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および図１〜１３において本開示全体にわたって説明する様々な機能を実行するように構成された他の好適なハードウェアがある。たとえば、装置１４００は、通信デバイス１０２および１１２、ならびにアクセスポイント１１０を実装するために使用され得る。
【００４３】
[0062]この例では、処理システム１４１４は、バス１４０２によって概略的に表されるバスアーキテクチャを用いて実装され得る。バス１４０２は、処理システム１４１４の特定の適用例および全体的な設計制約に応じて、任意の数の相互接続するバスおよびブリッジを含み得る。バス１４０２は、（プロセッサ１４０４によって概略的に表された）１つまたは複数のプロセッサと、メモリ１４０５と、（コンピュータ可読媒体１４０６によって概略的に表された）コンピュータ可読媒体とを含む、様々な回路を互いにリンクする。バス１４０２はまた、タイミングソース、周辺機器、電圧調整器、および電力管理回路などの様々な他の回路をリンクすることができるが、これらの回路は当技術分野においてよく知られており、したがって、これ以上記載されない。バスインターフェース１４０８は、バス１４０２とトランシーバ１４１０との間のインターフェースを与える。トランシーバ１４１０は、伝送媒体上で様々な他の装置と通信するための手段を提供する。本開示の様々な態様では、装置１４００は、異なる伝送媒体を介して通信するように構成された１つまたは複数のトランシーバ１４１０を含み得る。たとえば、トランシーバ１４１０は、ＷＬＡＮまたはピコネット（たとえばＢｌｕｅｔｏｏｔｈ）ワイヤレス媒体を介して通信するように構成され得る。装置の性質に応じて、ユーザインターフェース１４１２（たとえば、キーパッド、ディスプレイ、スピーカー、マイクロフォン、ジョイスティック、タッチスクリーン、タッチパッド）も設けられ得る。
【００４４】
[0063]プロセッサ１４０４は、バス１４０２の管理、およびコンピュータ可読媒体１４０６上に記憶されたソフトウェアの実行を含む全般的な処理を担う。ソフトウェアは、プロセッサ１４０４によって実行されたとき、処理システム１４１４に、特定の装置のための以下で説明する様々な機能を実行させる。本開示の一態様では、ソフトウェアは、共存ソフトウェア１４０７を含み、プロセッサ１４０４によって実行されたとき、処理システム１４１４に、図１〜１３を参照して説明した様々なＢＴ／ＷＬＡＮ共存技法を実施させる。コンピュータ可読媒体１４０６は、ソフトウェアを実行するときにプロセッサ１４０４によって操作されるデータを記憶するために使用されてもよい。
【００４５】
[0064]処理システム中の１つまたは複数のプロセッサ１４０４はソフトウェアを実行し得る。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアは、コンピュータ可読媒体１４０６上に存在し得る。コンピュータ可読媒体１４０６は、非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体１４０６は、処理システム１４１４中に常駐するか、処理システム１４１４の外部にあるか、または処理システム１４１４を含む複数のエンティティにわたって分散され得る。コンピュータ可読媒体１４０６はコンピュータプログラム製品において実施され得る。例として、コンピュータプログラム製品はパッケージング材料中にコンピュータ可読媒体を含み得る。当業者は、特定の応用形態と、システム全体に課せられる全体的な設計制約とに応じて、図１〜１３を参照して本開示全体にわたって提示される記載の機能をいかに最良に実現できるかを認識されよう。
【００４６】
[0065]図１５は、本開示の一態様による、ＢＴとＷＬＡＮとの共存動作のための通信デバイスとして構成された装置１４００を示す概念ブロック図である。たとえば、この装置１４００は通信デバイス１０２であり得る。装置１４００は、ＷＬＡＮトランシーバ１５０２とＢＴトランシーバ１５０４とを含む。ＷＬＡＮトランシーバ１５０２およびＢＴトランシーバ１５０４は、トランシーバ１４１０であり得る。ＷＬＡＮトランシーバ１５０２は、ＷＬＡＮプロトコル、たとえば８０２．１１プロトコルに従ってＷＬＡＮ媒体にアクセスするために使用され得る。ＢＴトランシーバ１５０４は、ピコネットプロトコルに従ってＢＴ媒体にアクセスするために使用され得る。プロセッサ１４０４は、ＷＬＡＮデータを送信／受信するための構成要素１５０６と、ＷＬＡＮデータをフラグメント化するための構成要素１５０８と、ＷＬＡＮ  ＰＰＤＵサイズを変更するための構成要素１５１０と、ＢＴデータを送信／受信するための構成要素１５１２と、ＷＬＡＮ  Ｔｘのデータレートおよび変調を変化させるための構成要素１５１４と、ＷＬＡＮ  ＭＰＤＵを送信することを回避するための構成要素１５１６と、ＷＬＡＮ  ＲｘのＳＩＮＲを測定し、ＳＩＮＲに基づいてＢＴ  Ｔｘを調整するための構成要素１５１８と、ＢＴ  Ｔｘ媒体アクセスタイミングを伝えるための構成要素１５２０と、フラグメンテーション要求を扱うための構成要素１５２２と、ＤＴＩＭ／ＴＩＭ／ＰＳ−Ｐｏｌｌフレームを扱うための構成要素１５２４と、ＷＬＡＮトランシーバ１５０２をスリープモードに設定するための構成要素１５２６と、ＷＬＡＮトランシーバ１５０２をウェイクアップさせるための構成要素１５２８とを含む。この例の新規な特徴を説明するためには必要でない、装置１４００の他の一般に知られている構成要素は、明快のために図１５には示されていない。
【００４７】
[0066]本開示の一態様では、図１５の様々な構成要素は、次のように通信デバイス１０２を実装するように構成され得る。構成要素１５１２は、ＢＴデータ（ＢＴ  Ｒｘ）を受信するためにＢＴトランシーバ１５０４を利用するように構成され得る。構成要素１５０８は、ＢＴ  Ｒｘの媒体アクセスタイミング（たとえば、図５のＢＴサイクル５１０）に基づいて、ＷＬＡＮデータの１つまたは複数のデータフレームを複数のフラグメント化されたフレームに動的にフラグメント化するように構成され得る。構成要素１５０６は、ＢＴ  ＲｘとＷＬＡＮ  Ｔｘとの間の衝突を回避しながら、フラグメント化されたＷＬＡＮデータ（ＷＬＡＮ  Ｔｘ）を送信するためにＷＬＡＮトランシーバ１５０２を利用するように構成され得る。構成要素１５１６は、ＢＴ  Ｒｘを受信する間にＭＰＤＵを送信することを回避するためにＷＬＡＮトランシーバ１５０２を制御するように構成され得る。構成要素１５１０は、ＷＬＡＮ  Ｔｘを送信するためのチャネル条件に基づいて、フラグメント化されたＷＬＡＮフレームのＰＰＤＵのサイズを動的に変更するように構成され得る。構成要素１５１４は、ＷＬＡＮ  Ｔｘを送信するためのチャネル条件に基づいて、フラグメント化されたＷＬＡＮフレームのデータレートまたは変調を動的に変化させるように構成され得る。
【００４８】
[0067]本開示の一態様では、図１５の様々な構成要素は、次のように通信デバイス１０２を実装するように構成され得る。構成要素１５１２は、ＢＴデータ（ＢＴ  Ｔｘ）を送信するためにＢＴトランシーバ１５０４を利用するように構成され得る。構成要素１５２２は、ＢＴ  Ｔｘの媒体アクセスタイミングに基づいて、ＷＬＡＮデータの１つまたは複数のデータフレームを複数のフラグメント化されたフレーム（ＷＬＡＮ  Ｒｘ）に動的にフラグメント化するために、フラグメンテーション要求をアクセスポイント１１０に送るのにＷＬＡＮトランシーバ１５０２を利用するように構成され得る。構成要素１５０６は、ＢＴ  ＴｘとＷＬＡＮ  Ｒｘとの間の衝突を回避しながら、フラグメント化されたＷＬＡＮデータ（ＷＬＡＮ  Ｔｘ）を受信するためにＷＬＡＮトランシーバ１５０２を利用するように構成され得る。フラグメンテーション要求は、フラグメンテーションしきい値を調整するためにアクセスポイントをトリガするように構成され得る。フラグメンテーション要求は、ＢＴ  Ｔｘの送信の間、フラグメント化されたＷＬＡＮ  Ｒｘの送信を回避することをアクセスポイントに要求するように構成され得る。フラグメンテーション要求は、ＢＴ  Ｔｘの送信の間、ＭＰＤＵの送信を回避することをアクセスポイントに要求するように構成され得る。構成要素１５２２は、ＲＴＳフレームがアクセスポイントから受信されたことに応答して、フラグメンテーション要求を含んだＣＴＳフレームを送るように構成され得る。構成要素１５１２は、ＷＬＡＮデータのフラグメンテーションに基づいて、ＢＴデータの送信を調整するように構成され得る。構成要素１５１８は、受信されたＷＬＡＮ  ＲｘのＳＩＮＲを測定し、受信されたＷＬＡＮ  Ｒｘの測定されたＳＩＮＲに基づいてＢＴ  Ｔｘの送信を調整するように構成され得る。構成要素１５１８は、ＢＴ  Ｔｘの送信電力を低減するか、デジタルプリディストーションをＢＴ  Ｔｘに適用するか、または、ＢＴ  ＴｘによってＷＬＡＮ  Ｒｘに課せられる干渉を緩和するために能動的干渉消去を実施するようにさらに構成され得る。
【００４９】
[0068]本開示の一態様では、図１５の様々な構成要素は、次のように通信デバイス１０２を実装するように構成され得る。構成要素１５１２は、ＢＴデータ（ＢＴ  Ｔｘ）を送信するためにＢＴトランシーバ１５０４を利用するように構成され得る。構成要素１５２０は、ＢＴ  Ｔｘの媒体アクセスタイミングをアクセスポイント１１０に伝えるためにＷＬＡＮトランシーバ１５０２を利用するように構成され得る。構成要素１５２６は、ＷＬＡＮトランシーバ１５０２をスリープモードに設定するように構成され得る。構成要素１５２８は、ＢＴトランシーバ１５０４が媒体アクセスタイミングに基づいてデータを送信していないとき、ＷＬＡＮ  Ｒｘをアクセスポイントから受信するためにＷＬＡＮトランシーバ１５０２をウェイクアップさせるように構成され得、ここにおいて、ＷＬＡＮトランシーバ１５０２がスリープモードにあったとき、受信されたＷＬＡＮ  Ｒｘはアクセスポイントでキューされたものである。構成要素１５２４は、ＴＩＭをアクセスポイントから受信するように構成され得、ここにおいて、ＴＩＭは、ＷＬＡＮ  Ｒｘの少なくとも１つのパケットがアクセスポイントでキューされることを示す。構成要素１５２４は、ＷＬＡＮトランシーバ１５０２を利用して、ＴＩＭを受信したことに応答してＰＳ−Ｐｏｌｌをアクセスポイントへ送信するように構成され得る。構成要素１５２４は、ＤＴＩＭをアクセスポイントから受信するように構成され得、ここにおいて、ＤＴＩＭは、ＷＬＡＮ  Ｒｘがブロードキャストデータであることを示す。構成要素１５１８は、受信されたＷＬＡＮ  ＲｘのＳＩＮＲを測定し、受信されたＷＬＡＮ  Ｒｘの測定されたＳＩＮＲに基づいてＢＴ  Ｔｘの送信を調整するように構成され得る。構成要素１５１８は、ＢＴ  Ｔｘの送信電力を低減するか、デジタルプリディストーションをＢＴ  Ｔｘに適用するか、または、ＢＴ  ＴｘによってＷＬＡＮ  Ｒｘに課せられる干渉を緩和するために能動的干渉消去を実施するようにさらに構成され得る。
【００５０】
[0069]図１６は、本開示の一態様による、ＷＬＡＮアクセスポイントとして構成された装置１４００を示す概念ブロック図である。たとえば、この装置１４００はアクセスポイント１１０であり得る。装置１４００はＷＬＡＮトランシーバ１６０２を含む。ＷＬＡＮトランシーバ１６０２はトランシーバ１４１０（図１４参照）であり得る。ＷＬＡＮトランシーバ１６０２は、ＷＬＡＮプロトコル、たとえば８０２．１１プロトコルに従ってＷＬＡＮ媒体にアクセスするために使用され得る。プロセッサ１４０４は、ＷＬＡＮデータを送信および受信するための構成要素１６０４と、フラグメンテーション要求を扱うための構成要素１６０６と、ＷＬＡＮとＢＴとの衝突を回避しながら、所定の期間に、フラグメント化されたＷＬＡＮデータを送信するための構成要素１６０８と、フラグメンテーションしきい値を調整するための構成要素１６１０と、ＷＬＡＮのデータレート、変調、および電力を変化させるための構成要素１６１２と、ＷＬＡＮのＭＰＤＵの送信を回避するための構成要素１６１４と、ＴＩＭ／ＰＳ−Ｐｏｌｌを扱うための構成要素１６１６と、ＤＴＩＭを扱うための構成要素１６１８とを含む。この例の新規な特徴を説明するためには必要でない、装置１４００の他の一般に知られている構成要素は、明快のために図１６には示されていない。
【００５１】
[0070]本開示の一態様では、図１６の様々な構成要素は、図１〜１４を参照して説明したように、アクセスポイント１１０を実装するように構成され得る。構成要素１６０４は、ＷＬＡＮ媒体を利用して、ＷＬＡＮデータを通信デバイス１０２に送信するためにＷＬＡＮトランシーバ１６０２を利用するように構成され得る。構成要素１６０６は、ＷＬＡＮデータの１つまたは複数のデータフレームを複数のフラグメント化されたフレームに動的にフラグメント化するために、フラグメンテーション要求を通信デバイスから受信するように構成され得る。構成要素１６０８は、ＢＴワイヤレス媒体（たとえば、図９のＢＴ媒体）を利用して通信デバイスによって送信されたＷＬＡＮデータとＢＴデータとの間の衝突を回避しながら、フラグメンテーション要求によって示された所定の期間（たとえば、図９の期間９１４）に、フラグメント化されたＷＬＡＮデータを送信するように構成され得る。構成要素１６１０は、フラグメンテーション要求に基づいて、アクセスポイントのフラグメンテーションしきい値を調整するように構成され得る。構成要素１６１２は、フラグメンテーション要求に応答して、ＷＬＡＮデータの送信電力を増強するように構成され得る。構成要素１６１２は、フラグメント化されたＷＬＡＮデータの変調を変化させるように構成され得る。構成要素１６１４は、フラグメンテーション要求によって示された所定の期間に、ＷＬＡＮ上でＭＰＤＵを送信することを回避するように構成され得る。構成要素１６０６は、以前に送られたＲＴＳフレームに応答して、フラグメンテーション要求を含んだＣＴＳフレームを受信するようにさらに構成され得る。構成要素１６１８は、所定の期間におけるＷＬＡＮブロードキャストデータの利用率を示すＤＴＩＭを送信するように構成され得る。構成要素１６１６は、アクセスポイントでキューされた、通信デバイスに宛てられたＷＬＡＮデータの利用率を示すＴＩＭを送信し、通信デバイスからＰＳ−Ｐｏｌｌを受信し、ＰＳ−Ｐｏｌｌに応答して所定の期間に通信デバイスに、フラグメント化されたＷＬＡＮデータを送信するように構成され得る。
【００５２】
[0071]図１７は、本開示の一態様による、通信デバイス１０２で動作可能なワイヤレス通信の方法１７００を示すフローチャートである。ステップ１７０２では、通信デバイス１０２は、第１の通信プロトコル（たとえばピコネットプロトコル）に対応する第１のワイヤレストランシーバ（たとえばＢＴトランシーバ）を利用して、第１のデータ（たとえばＢＴデータ）を受信する。ステップ１７０４では、デバイス１０２は、第１のデータの媒体アクセスタイミングに基づいて、第２のデータ（たとえばＷＬＡＮデータ）の１つまたは複数のデータフレームを複数のフラグメント化されたフレームに動的にフラグメント化する。ステップ１７０６では、デバイス１０２は、第１のデータと第２のデータとの間の衝突を回避しながら、第２の通信プロトコル（たとえば８０２．１１プロトコル）に対応する第２のワイヤレストランシーバ（たとえばＷＬＡＮトランシーバ）を利用して、フラグメント化された第２のデータを送信する。
【００５３】
[0072]図１８は、本開示の一態様による、通信デバイス１０２で動作可能なワイヤレス通信の方法１８００を示すフローチャートである。ステップ１８０２では、通信デバイス１０２は、第１の通信プロトコル（たとえばピコネットプロトコル）に対応する第１のワイヤレストランシーバ（たとえばＢＴトランシーバ）を利用して、第１のデータ（たとえばＢＴデータ）を送信する。ステップ１８０４では、デバイス１０２は、第１のデータの媒体アクセスタイミングに基づいて、第２のデータ（ＷＬＡＮデータ）の１つまたは複数のデータフレームを複数のフラグメント化されたフレームに動的にフラグメント化するために、フラグメンテーション要求をアクセスポイント（たとえばＡＰ１１０）に送る。ステップ１８０６では、デバイス１０２は、第１のデータと第２のデータとの間の衝突を回避しながら、第２の通信プロトコル（たとえば８０２．１１プロトコル）に対応する第２のトランシーバ（たとえばＷＬＡＮトランシーバ）を利用して、フラグメント化された第２のデータを受信する。
【００５４】
[0073]図１９は、本開示の一態様による、通信デバイス１０２で動作可能なワイヤレス通信の方法１９００を示すフローチャートである。ステップ１９０２では、通信デバイス１０２は、第１の通信プロトコル（たとえばピコネットプロトコル）に対応する第１のワイヤレストランシーバ（たとえばＢＴトランシーバ）を利用して、第１のデータ（たとえばＢＴデータ）を送信する。ステップ１９０４では、通信デバイス１０２は、第２の通信プロトコル（たとえば８０２．１１プロトコル）に対応する第２のワイヤレストランシーバ（たとえばＷＬＡＮトランシーバ）を利用して、第１のデータの媒体アクセスタイミングをアクセスポイント（たとえばＡＰ１１０）に伝える。ステップ１９０６では、デバイス１０２は、第２のワイヤレストランシーバをスリープモードに設定する。ステップ１９０８では、デバイスは、第１のワイヤレストランシーバが媒体アクセスタイミングに基づいてデータを送信していないとき、第２のデータ（たとえばＷＬＡＮデータ）をアクセスポイントから受信するために第２のワイヤレストランシーバをウェイクアップさせ、ここにおいて、第２のワイヤレストランシーバがスリープモードにあったとき、受信された第２のデータはアクセスポイントでキューされたものである。
【００５５】
[0074]図２０は、本開示の一態様による、アクセスポイント１１０で動作可能なワイヤレス通信の方法２０００を示すフローチャートである。ステップ２００２では、アクセスポイント１１０は、第１のワイヤレス媒体（たとえばＷＬＡＮ）を利用して、第１のデータ（たとえばＷＬＡＮデータ）を通信デバイス１０２に送信する。ステップ２００４では、アクセスポイント１１０は、第１のデータの１つまたは複数のデータフレームを複数のフラグメント化されたフレームに動的にフラグメント化するために、フラグメンテーション要求を通信デバイスから受信する。ステップ２００６では、アクセスポイント１１０は、第２のワイヤレス媒体（たとえばＢＴ媒体）を利用して通信デバイスによって送信された第１のフラグメント化されたデータと第２のデータ（たとえばＢＴデータ）との間の衝突を回避しながら、フラグメンテーション要求によって示された所定の期間に、フラグメント化された第１のデータを送信する。
【００５６】
[0075]ＷＬＡＮおよびＢＴを使用する例示的なシステムを参照しながら、通信システムのいくつかの態様を提示した。当業者なら容易に諒解するように、本開示全体にわたって説明される様々な態様は、他の電気通信システム、ネットワークアーキテクチャおよび通信規格に拡張され得る。
【００５７】
[0076]例として、様々な態様は、Ｗ−ＣＤＭＡ（登録商標）、ＴＤ−ＳＣＤＭＡおよびＴＤ−ＣＤＭＡなどのＵＭＴＳシステムに拡張され得る。様々な態様はまた、（ＦＤＤモード、ＴＤＤモード、またはその両方のモードでの）ロングタームエボリューション（ＬＴＥ（登録商標））、（ＦＤＤモード、ＴＤＤモード、またはその両方のモードでの）ＬＴＥアドバンスト（ＬＴＥ−Ａ）、ＣＤＭＡ２０００、エボリューションデータオプティマイズド（ＥＶ−ＤＯ）、ウルトラモバイルブロードバンド（ＵＭＢ）、ＩＥＥＥ８０２．１６（ＷｉＭＡＸ（登録商標））、ＩＥＥＥ８０２．２０、ウルトラワイドバンド（ＵＷＢ）、および／または他の適切なシステムを採用するシステムに拡張され得る。採用される実際の電気通信規格、ネットワークアーキテクチャ、および／または通信規格は、特定の適用例およびシステムに課せられる全体的な設計制約に依存することになる。
【００５８】
[0077]開示した方法中のステップの特定の順序または階層は、例示的なプロセスの一例であることを理解されたい。設計上の選好に基づいて、本方法中のステップの特定の順序または階層は並べ替えられ得ることを理解されたい。添付の方法クレームは、様々なステップの要素を例示的な順序で提示したものであり、方法クレーム中に特に記載されていない限り、提示された特定の順序または階層に限定されるものではない。
【００５９】
[0078]以上の説明は、当業者が本明細書で説明した様々な態様を実施することができるようにするために提供したものである。これらの態様に対する様々な変更は当業者には容易に明らかになり、本明細書で定義した一般原理は他の態様に適用され得る。したがって、特許請求の範囲は、本明細書に示された態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。
【００６０】
[0079]当業者に知られているかまたは後で知られることになる、本開示全体にわたって説明した様々な態様の要素に対するすべての構造的および機能的均等物は、参照により本明細書に明確に組み込まれ、特許請求の範囲によって包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に列挙されていない限り、または方法クレームの場合には、その要素が「ためのステップ」という語句を使用して列挙されていない限り、米国特許法第１１２条第６項の規定に基づいて解釈されるべきではない。
【図１】
2017502536.tif 000003
【図２】
2017502536.tif 000004
【図３】
2017502536.tif 000005
【図４】
2017502536.tif 000006
【図５】
2017502536.tif 000007
【図６】
2017502536.tif 000008
【図７】
2017502536.tif 000009
【図８】
2017502536.tif 000010
【図９】
2017502536.tif 000011
【図１０】
2017502536.tif 000012
【図１１】
2017502536.tif 000013
【図１２】
2017502536.tif 000014
【図１３】
2017502536.tif 000015
【図１４】
2017502536.tif 000016
【図１５】
2017502536.tif 000017
【図１６】
2017502536.tif 000018
【図１７】
2017502536.tif 000019
【図１８】
2017502536.tif 000020
【図１９】
2017502536.tif 000021
【図２０】
2017502536.tif 000022
【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを受信するために前記第１のワイヤレストランシーバを利用するように構成された第１の構成要素と、
前記第１のデータの媒体アクセスタイミングに基づいて、第２のデータの１つまたは複数のデータフレームを複数のフラグメント化されたフレームに動的にフラグメント化するように構成された第２の構成要素と、
前記第１のデータと前記第２のデータとの間の衝突を回避しながら、前記第１のデータのフレーム間に前記第２のデータの前記フラグメント化されたフレームを送信するために前記第２のワイヤレストランシーバを利用するように構成された第３の構成要素と、
前記フラグメント化されたフレームの各々が前記第１のデータの前記フレーム間の間隔に収まるように前記第２のデータを送信するためのチャネル条件に基づいて、前記フラグメント化されたフレームのデータレートまたは変調を動的に変化させるように構成された第４の構成要素と、
を備える装置。
【請求項２】
前記第１のデータは前記第２のデータよりも高い優先度を有する、請求項１に記載の装置。
【請求項３】
前記第１のプロトコルはピコネットプロトコルを備え、前記第２のプロトコルはワイヤレスローカルエリアネットワークプロトコルを備える、請求項１に記載の装置。
【請求項４】
前記少なくとも１つのプロセッサは、前記第１のデータを受信している間、媒体アクセス制御レイヤプロトコルデータユニットを送信することを回避するために、前記第２のトランシーバを制御するように構成された第４の構成要素をさらに備える、請求項１に記載の装置。
【請求項５】
前記少なくとも１つのプロセッサは、前記第２のデータを送信するためのチャネル条件に基づいて、前記フラグメント化されたフレームのＰＨＹレイヤコンバージェンスプロシージャ（ＰＬＣＰ）プロトコルデータユニットのサイズを動的に変更するように構成された第４の構成要素をさらに備える、請求項１に記載の装置。
【請求項６】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを送信するために前記第１のワイヤレストランシーバを利用するように構成された第１の構成要素と、
前記第１のデータの媒体アクセスタイミングに基づいて、第２のデータの１つまたは複数のデータフレームを複数のフラグメント化されたフレームに動的にフラグメント化するために、フラグメンテーション要求をアクセスポイントに送るのに前記第２のワイヤレストランシーバを利用するように構成された第２の構成要素と、
前記第１のデータと前記第２のデータとの間の衝突を回避しながら、前記第１のデータのフレーム間に前記第２のデータの前記フラグメント化されたフレームを受信するために前記第２のワイヤレストランシーバを利用するように構成された第３の構成要素とを備える装置。
【請求項７】
前記第１のデータは前記第２のデータよりも高い優先度を有する、請求項６に記載の装置。
【請求項８】
前記第１のプロトコルはピコネットプロトコルを備え、前記第２のプロトコルはワイヤレスローカルエリアネットワークプロトコルを備える、請求項７に記載の装置。
【請求項９】
前記フラグメンテーション要求は、フラグメンテーションしきい値を調整するために前記アクセスポイントをトリガするように構成される、請求項６に記載の装置。
【請求項１０】
前記フラグメンテーション要求は、前記第１のデータの前記送信の間に、前記フラグメント化された第２のデータの送信を回避することを前記アクセスポイントに要求するように構成される、請求項６に記載の装置。
【請求項１１】
前記フラグメンテーション要求を送るために、前記第２の構成要素は、送信要求（ＲＴＳ）フレームが前記アクセスポイントから受信されたことに応答して、前記フラグメンテーション要求を含んだ送信可（ＣＴＳ）フレームを送るように構成された第４の構成要素を備える、請求項６に記載の装置。
【請求項１２】
前記少なくとも１つのプロセッサは、前記第２のデータの前記フラグメンテーションに基づいて、前記第１のデータの前記送信を調整するように構成された第４の構成要素をさらに備える、請求項６に記載の装置。
【請求項１３】
前記フラグメンテーション要求は、前記第１のデータの前記送信の間に、媒体アクセス制御レイヤプロトコルデータユニット（ＭＰＤＵ）の送信を回避することを前記アクセスポイントに要求するように構成される、請求項６に記載の装置。
【請求項１４】
前記少なくとも１つのプロセッサは、
前記受信された第２のデータの信号対干渉比を測定し、
前記受信された第２のデータの前記測定された信号対干渉比に基づいて、前記第１のデータの前記送信を調整するように構成された第４の構成要素をさらに備える、請求項６に記載の装置。
【請求項１５】
前記第４の構成要素は、
前記第１のデータの送信電力を低減すること、または、
前記第１のデータによって前記第２のデータに課せられる干渉を緩和するために能動的干渉消去を実施することの少なくとも一方を行うようにさらに構成される、請求項１４に記載の装置。
【請求項１６】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを送信するために前記第１のワイヤレストランシーバを利用するように構成された第１の構成要素と、
前記第１のデータの媒体アクセスタイミングをアクセスポイントに伝えるために前記第２のワイヤレストランシーバを利用するように構成された第２の構成要素と、
前記第２のワイヤレストランシーバをスリープモードに設定するように構成された第３の構成要素と、
前記第１のワイヤレストランシーバが前記媒体アクセスタイミングに基づいてデータを送信していないとき、第２のデータを前記アクセスポイントから受信するために前記第２のワイヤレストランシーバをウェイクアップさせるように構成された第４の構成要素と、ここにおいて、前記第２のワイヤレストランシーバが前記スリープモードにあったとき、前記受信された第２のデータは前記アクセスポイントでキューされたものである、を備える装置。
【請求項１７】
前記第１のプロトコルはピコネットプロトコルを備え、前記第２のプロトコルはワイヤレスローカルエリアネットワークプロトコルを備える、請求項１６に記載の装置。
【請求項１８】
前記少なくとも１つのプロセッサは、トラフィック指示マップ（ＴＩＭ）を前記アクセスポイントから受信するように構成された第５の構成要素をさらに備え、ここにおいて、前記ＴＩＭは、前記第２のデータの少なくとも１つのパケットが前記アクセスポイントでキューされることを示す、請求項１６に記載の装置。
【請求項１９】
前記少なくとも１つのプロセッサは、前記第２のワイヤレストランシーバを利用して、前記ＴＩＭを受信したことに応答して省電力ポールを前記アクセスポイントに送信するように構成された第６の構成要素をさらに備える、請求項１８に記載の装置。
【請求項２０】
前記少なくとも１つのプロセッサは、配信トラフィック指示メッセージ（ＤＴＩＭ）を前記アクセスポイントから受信するように構成された第５の構成要素をさらに備え、ここにおいて、前記ＤＴＩＭは、前記第２のデータがブロードキャストデータであることを示す、請求項１６に記載の装置。
【請求項２１】
前記少なくとも１つのプロセッサは、
前記受信された第２のデータの信号対干渉比を測定し、
前記受信された第２のデータの前記測定された信号対干渉比に基づいて、前記第１のデータの前記送信を調整するように構成された第５の構成要素をさらに備える、請求項１６に記載の装置。
【請求項２２】
前記第５の構成要素は、
前記第１のデータの送信電力を低減すること、または、
前記第１のデータによって前記第２のデータに課せられる干渉を緩和するために能動的干渉消去を実施することの少なくとも一方を行うようにさらに構成される、請求項２１に記載の装置。
【手続補正２】
【補正対象書類名】明細書
【補正対象項目名】００６０
【補正方法】変更
【補正の内容】
【００６０】
[0079]当業者に知られているかまたは後で知られることになる、本開示全体にわたって説明した様々な態様の要素に対するすべての構造的および機能的均等物は、参照により本明細書に明確に組み込まれ、特許請求の範囲によって包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に列挙されていない限り、または方法クレームの場合には、その要素が「ためのステップ」という語句を使用して列挙されていない限り、米国特許法第１１２条第６項の規定に基づいて解釈されるべきではない。
以下に本願の出願当初の特許請求の範囲に記載された発明を付記する。
[Ｃ１]  ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを受信するために前記第１のワイヤレストランシーバを利用するように構成された第１の構成要素と、
前記第１のデータの媒体アクセスタイミングに基づいて、第２のデータの１つまたは複数のデータフレームを複数のフラグメント化されたフレームに動的にフラグメント化するように構成された第２の構成要素と、
前記第１のデータと前記第２のデータとの間の衝突を回避しながら、前記フラグメント化された第２のデータを送信するために前記第２のワイヤレストランシーバを利用するように構成された第３の構成要素とを備える装置。
[Ｃ２]  前記第１のデータは前記第２のデータよりも高い優先度を有する、Ｃ１に記載の装置。
[Ｃ３]  前記第１のプロトコルはピコネットプロトコルを備え、前記第２のプロトコルはワイヤレスローカルエリアネットワークプロトコルを備える、Ｃ１に記載の装置。
[Ｃ４]  前記少なくとも１つのプロセッサは、前記第１のデータを受信している間、媒体アクセス制御レイヤプロトコルデータユニットを送信することを回避するために、前記第２のトランシーバを制御するように構成された第４の構成要素をさらに備える、Ｃ１に記載の装置。
[Ｃ５]  前記少なくとも１つのプロセッサは、前記第２のデータを送信するためのチャネル条件に基づいて、前記フラグメント化されたフレームのＰＨＹレイヤコンバージェンスプロシージャ（ＰＬＣＰ）プロトコルデータユニットのサイズを動的に変更するように構成された第４の構成要素をさらに備える、Ｃ１に記載の装置。
[Ｃ６]  前記少なくとも１つのプロセッサは、前記第２のデータを送信するためのチャネル条件に基づいて、前記フラグメント化されたフレームのデータレートまたは変調を動的に変化させるように構成された第４の構成要素をさらに備える、Ｃ１に記載の装置。
[Ｃ７]  ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを送信するために前記第１のワイヤレストランシーバを利用するように構成された第１の構成要素と、
前記第１のデータの媒体アクセスタイミングに基づいて、第２のデータの１つまたは複数のデータフレームを複数のフラグメント化されたフレームに動的にフラグメント化するために、フラグメンテーション要求をアクセスポイントに送るのに前記第２のワイヤレストランシーバを利用するように構成された第２の構成要素と、
前記第１のデータと前記第２のデータとの間の衝突を回避しながら、前記フラグメント化された第２のデータを受信するために前記第２のワイヤレストランシーバを利用するように構成された第３の構成要素とを備える装置。
[Ｃ８]  前記第１のデータは前記第２のデータよりも高い優先度を有する、Ｃ７に記載の装置。
[Ｃ９]  前記第１のプロトコルはピコネットプロトコルを備え、前記第２のプロトコルはワイヤレスローカルエリアネットワークプロトコルを備える、Ｃ８に記載の装置。
[Ｃ１０]  前記フラグメンテーション要求は、フラグメンテーションしきい値を調整するために前記アクセスポイントをトリガするように構成される、Ｃ７に記載の装置。
[Ｃ１１]  前記フラグメンテーション要求は、前記第１のデータの前記送信の間に、前記フラグメント化された第２のデータの送信を回避することを前記アクセスポイントに要求するように構成される、Ｃ７に記載の装置。
[Ｃ１２]  前記フラグメンテーション要求を送るために、前記第２の構成要素は、送信要求（ＲＴＳ）フレームが前記アクセスポイントから受信されたことに応答して、前記フラグメンテーション要求を含んだ送信可（ＣＴＳ）フレームを送るように構成された第４の構成要素を備える、Ｃ７に記載の装置。
[Ｃ１３]  前記少なくとも１つのプロセッサは、前記第２のデータの前記フラグメンテーションに基づいて、前記第１のデータの前記送信を調整するように構成された第４の構成要素をさらに備える、Ｃ７に記載の装置。
[Ｃ１４]  前記フラグメンテーション要求は、前記第１のデータの前記送信の間に、媒体アクセス制御レイヤプロトコルデータユニット（ＭＰＤＵ）の送信を回避することを前記アクセスポイントに要求するように構成される、Ｃ７に記載の装置。
[Ｃ１５]  前記少なくとも１つのプロセッサは、
前記受信された第２のデータの信号対干渉比を測定し、
前記受信された第２のデータの前記測定された信号対干渉比に基づいて、前記第１のデータの前記送信を調整するように構成された第４の構成要素をさらに備える、Ｃ７に記載の装置。
[Ｃ１６]  前記第４の構成要素は、
前記第１のデータの送信電力を低減すること、または、
前記第１のデータによって前記第２のデータに課せられる干渉を緩和するために能動的干渉消去を実施することの少なくとも一方を行うようにさらに構成される、Ｃ１５に記載の装置。
[Ｃ１７]  ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを送信するために前記第１のワイヤレストランシーバを利用するように構成された第１の構成要素と、
前記第１のデータの媒体アクセスタイミングをアクセスポイントに伝えるために前記第２のワイヤレストランシーバを利用するように構成された第２の構成要素と、
前記第２のワイヤレストランシーバをスリープモードに設定するように構成された第３の構成要素と、
前記第１のワイヤレストランシーバが前記媒体アクセスタイミングに基づいてデータを送信していないとき、第２のデータを前記アクセスポイントから受信するために前記第２のワイヤレストランシーバをウェイクアップさせるように構成された第４の構成要素と、ここにおいて、前記第２のワイヤレストランシーバが前記スリープモードにあったとき、前記受信された第２のデータは前記アクセスポイントでキュされたものである、を備える装置。
[Ｃ１８]  前記第１のプロトコルはピコネットプロトコルを備え、前記第２のプロトコルはワイヤレスローカルエリアネットワークプロトコルを備える、Ｃ１７に記載の装置。
[Ｃ１９]  前記少なくとも１つのプロセッサは、トラフィック指示マップ（ＴＩＭ）を前記アクセスポイントから受信するように構成された第５の構成要素をさらに備え、ここにおいて、前記ＴＩＭは、前記第２のデータの少なくとも１つのパケットが前記アクセスポイントでキューされることを示す、Ｃ１７に記載の装置。
[Ｃ２０]  前記少なくとも１つのプロセッサは、前記第２のワイヤレストランシーバを利用して、前記ＴＩＭを受信したことに応答して省電力ポールを前記アクセスポイントに送信するように構成された第６の構成要素をさらに備える、Ｃ１９に記載の装置。
[Ｃ２１]  前記少なくとも１つのプロセッサは、配信トラフィック指示メッセージ（ＤＴＩＭ）を前記アクセスポイントから受信するように構成された第５の構成要素をさらに備え、ここにおいて、前記ＤＴＩＭは、前記第２のデータがブロードキャストデータであることを示す、Ｃ１７に記載の装置。
[Ｃ２２]  前記少なくとも１つのプロセッサは、
前記受信された第２のデータの信号対干渉比を測定し、
前記受信された第２のデータの前記測定された信号対干渉比に基づいて、前記第１のデータの前記送信を調整するように構成された第５の構成要素をさらに備える、Ｃ１７に記載の装置。
[Ｃ２３]  前記第５の構成要素は、
前記第１のデータの送信電力を低減すること、または、
前記第１のデータによって前記第２のデータに課せられる干渉を緩和するために能動的干渉消去を実施することの少なくとも一方を行うようにさらに構成される、Ｃ２２に記載の装置。
【国際調査報告】
2017502536.tif 000023
2017502536.tif 000024